(57)【要約】【課題】空調管理室内を効率良く温度管理でき、省エネルギーの点で優れた空調構造体を提供する。【解決手段】空調管理室21を形成する空調管理用組立構造体20と、空調管理室21内に配設される空調用の室内機１と、室内機１に接続され空調管理室21外に配設される空調用の室外機２と、室外機２の空気吸込み口側に配設される気化フィルタ３と、室内機１から排出されるドレン水を気化フィルタ３へ供給するためのドレン水供給手段６と、を備えた。【選択図】図１
2019056493.tif 000002
【特許請求の範囲】
【請求項１】
空調管理室（21）を形成する空調管理用組立構造体（20）と、上記空調管理室（21）内に配設される空調用の室内機（１）と、該室内機（１）に接続され上記空調管理室（21）外に配設される空調用の室外機（２）と、該室外機（２）の空気吸込み口側に配設される気化フィルタ（３）と、上記室内機（１）から排出されるドレン水（Ｗ）を上記気化フィルタ（３）へ供給するためのドレン水供給手段（６）と、を備えたことを特徴とする空調構造体。
【請求項２】
上記室外機（２）は上記組立構造体（20）の屋根（22）に設置されている請求項１記載の空調構造体。
【発明の詳細な説明】
【技術分野】
【０００１】
本発明は、空調構造体に関する。
【背景技術】
【０００２】
従来、屋内に、簡易的なクリーンブース（ルーム）やサニタリーブース（ルーム）等の空調管理室を形成するための空調管理組立構造体（例えば、特許文献１参照）は、空調管理室内に空調用の室内機（例えば、特許文献２参照）を設置すると共に、空調管理室外に空調用の室外機を設置していた。
【先行技術文献】
【特許文献】
【０００３】
【特許文献１】特開２０１６−６１０９９号公報
【特許文献２】特開２０１７−６７４０７号公報
【発明の概要】
【発明が解決しようとする課題】
【０００４】
しかし、夏季（期）等において屋内温度が高いと、室外機にて空調用冷媒を十分に冷やすことができず、熱効率が低下して省エネルギーの点で問題があった。
そこで、本発明は、空調管理室内を効率良く温度管理でき、省エネルギーの点で優れた空調構造体を提供することを目的とする。
【課題を解決するための手段】
【０００５】
上記目的を達成するために、本発明の空調構造体は、空調管理室を形成する空調管理用組立構造体と、上記空調管理室内に配設される空調用の室内機と、該室内機に接続され上記空調管理室外に配設される空調用の室外機と、該室外機の空気吸込み口側に配設される気化フィルタと、上記室内機から排出されるドレン水を上記気化フィルタへ供給するためのドレン水供給手段と、を備えたものである。
また、上記室外機は上記組立構造体の屋根に設置されているものである。
【発明の効果】
【０００６】
本発明によれば、空調用の室外機が、本来捨てられるドレン水を気化フィルタに流下させて冷やされた空気を吸込むため、空調用冷媒を効率良く冷やすことができ、省エネルギーの点で大きく貢献できる。また、室内機からのドレン水を屋外へ排出するための排水管や、気化フィルタへ水道水を供給するための上水供給管が不要で、屋内の排水口や蛇口等の位置を考慮することなく、組立構造体を様々な箇所に設置できると共に移設も容易となる。本来捨てられるドレン水を有効利用して、水道水を使用する場合に比べて節水できる。
【図面の簡単な説明】
【０００７】
【図１】本発明の実施の一形態を示す斜視図である。
【図２】要部拡大斜視図である。
【図３】簡略構成図である。
【図４】簡略配管図である。
【図５】気化フィルタの一例を示す斜視図である。
【図６】気化フィルタの他例を示す斜視図である。
【発明を実施するための形態】
【０００８】
以下、図示の実施形態に基づき本発明を詳説する。
本発明に係る空調構造体は、図１乃至図４に示すように、クリーンブース（ルーム）やサニタリーブース（ルーム）等の空調管理室21を形成する空調管理用組立構造体20と、空調管理室21内に配設される空調用の室内機１と、空調管理室21外に配設される空調用の室外機２と、を備えている。
【０００９】
組立構造体20は、工場や倉庫等の屋内で組立てられて設置され、複数本の柱状のフレームと、複数枚の板型のパネルと、フレーム同士を連結するためのフレーム連結具と、フレームとパネルを連結するためのパネル連結具等によって、屋内の雰囲気から閉塞された（屋内空気から区切られた）空間となる空調管理室21を形成するものである。パネルは、外壁や床、屋根（天井）、間仕切壁等を形成可能である。
【００１０】
室内機１と室外機２とは、空調用の冷媒配管71や制御用の電気配線等を介して接続されている。室内機１は、室内機側冷媒配管、室内機側制御部、室内用熱交換器、室内用ファン等を有している。室外機２は、室外機側冷媒配管、室外機側制御部、室外用熱交換器、室外用ファン、圧縮機（機構）、膨張機（機構）、アキュムレータ、切換弁等を有している。室内機１と冷媒配管71と室外機２とで冷凍サイクルを行うための冷媒循環回路を形成し、室外機２で冷やした冷媒を、室内機１にて室内空気と熱交換することで、室内を冷房可能に構成している。
【００１１】
そして、室外機２の空気吸込み口側に配設される気化フィルタ３と、室内機１から排出されるドレン水Ｗを気化フィルタ３へ供給するためのドレン水供給手段６と、を備えている。
【００１２】
ドレン水供給手段６は、室内機１のドレン排出口に一端部が接続され他端部が空調管理室21外へ配設されるドレン配管11と、ドレン配管11の他端部が接続されドレン水Ｗを貯えるためのドレンタンク５と、該ドレンタンク５内のドレン水Ｗを気化フィルタ３へ供給するためのドレンポンプＰａと、気化フィルタ３の上方位置に配設され気化フィルタ３へドレン水Ｗを滴下させる（付与する）ための滴下用配管81と、ドレンポンプＰａと滴下用配管81とを接続する送水配管80と、を備えている。
【００１３】
ドレン配管11及びドレンタンク５は、ドレン水Ｗが室内機１のドレン排出口からドレンタンク５へ自然に（ポンプ無しで自由落下にて）流れるように配設している。室内機１のドレン排出口よりも下方位置にドレンタンク５を配設している。
また、気化フィルタ３の下方位置に、気化フィルタ３を上方から下方へ流れた（通過した）ドレン水Ｗを受けるための受水パン４（図３に於て図示省略）を設けている。さらに、ドレン水Ｗを、受水パン４からドレンタンク５へ、戻し用ポンプを介して、又は、自然に（戻しポンプ無しで自由落下にて）送るための戻し配管７（図３に於て図示省略）を設けている。
【００１４】
室外機２の室外用ファンによって、吸い込んだ屋内空気が流下するドレン水Ｗの気化熱により冷却され、吸い込んだ屋内空気よりも温度の低い空気（冷風）が、室外機２の吸込み口側へ流れるように構成したものである。
【００１５】
気化フィルタ３は、例えば、図５と図６に示すように、前後方向（室外機２の吸込み方向）に空気が流れる（貫通状の）通気路37を有している。
【００１６】
また、図５に示すように通気路37が正面視波溝形状のものや、図６に示すように通気路37が正面視円形状や矩形状のもの等自由である。
【００１７】
室内機１から排出されたドレン水Ｗは、ドレン配管11を介して、ドレンタンク５に貯えられる。貯えられたドレン水Ｗは、ドレンポンプＰａにて、送水配管80を介して滴下用配管81へ送られる。ドレン水Ｗは、滴下用配管81に設けたノズル部や孔部等の滴下部から気化フィルタ３の上部へ噴霧や散水等の滴下によって供給される。ドレン水Ｗは、気化フィルタ３に付着して、吸い込んだ（通気路37を通過する）屋内空気を、気化熱にて冷却する。気化しなかったドレン水Ｗは、受水パン４と戻し配管７を介してドレンタンク５へ戻り、再び、気化フィルタ３へ供給される。
【００１８】
また、図１乃至図３に示すように、気化フィルタ３と滴下用配管81とを内有すると共に通気入口部と通気出口部とを有するフィルタケーシング30を備えている。
そして、フィルタケーシング30の通気出口部（気化フィルタ３の裏面側）と、室外機２の空気吸込み口と、を連通させるためのダクト部材91を備えている。
つまり、室外機２の室外用ファンが駆動すると、室内機１は、気化フィルタ３を介して屋内空気を吸込むことなる。ダクト部材91によって、気化フィルタ３を通過した空気（冷気）が、気化フィルタ３を通過していない屋内空気と混合せずに（直接的に）室外機２へ導入（案内）される。
【００１９】
さらに、室外機２と、ダクト部材91と、気化フィルタ３と、滴下用配管81と、受水パン４と、フィルタケーシング30とを、ベース部材92に載置（搭載）させて、１つの室外機側ユニットとして（一体状に）組立構造体20の屋根22に設置（固定）している。なお、屋根22は水平面状に形成している。
また、室内機１は、組立構造体20の側壁部の上部の内面に固着するのが望ましい（壁掛け式が望ましい）。ドレン水Ｗをドレンタンク５へ自然に（自由落下で）流すのが容易となる。
【００２０】
また、ドレンタンク５とドレンポンプＰａとを、ドレン側ユニットとして、一体状に、組立構造体20の側壁部の外面側かつ上部に配設している。
そして、ドレンユニット（ドレンタンク５及びドレンポンプＰａ）は、ベース部材92に垂下状に固着された吊下支持部材93に取着されている（設けられている）。
つまり、室外機側ユニットと、ドレン側ユニットと、を一体状に移動（移設）可能に構成している。
【００２１】
なお、本発明は、設計変更可能であって、室内機１は、ＨＥＰＡフィルタを設けたものであっても良い。組立構造体20の形状や組立構造等は自由である。また、電気（電源）は、空調管理室21内のコンセント部、空調管理室21外のコンセント部いずれから給電するも良い。
また、本発明は、クリーンブース（ルーム）やサニタリーブース（ルーム）等のような組立構造体に適用すれば、下記のような著大な効果が発揮されるのであるが、さらに、この組立構造体以外の一般的な場所（構造物）に適用することも、可能であり、省エネルギーの点から大きな効果が得られる。
【００２２】
以上のように、本発明の空調構造体は、空調管理室21を形成する空調管理用組立構造体20と、上記空調管理室21内に配設される空調用の室内機１と、該室内機１に接続され上記空調管理室21外に配設される空調用の室外機２と、該室外機２の空気吸込み口側に配設される気化フィルタ３と、上記室内機１から排出されるドレン水Ｗを上記気化フィルタ３へ供給するためのドレン水供給手段６と、を備えたので、空調用の室外機２が、ドレン水の流下する気化フィルタ３を通過して冷やされた空気（冷気）を吸込むため、空調用冷媒を迅速かつ効率良く冷やすことができ、省エネルギーの点から大きく貢献する発明であるといえる。また、室内機１からのドレン水Ｗを屋外へ排出するための排水管や、気化フィルタ３へ水道水を供給するための上水供給管が不要となり、排水溝や排水口等の屋内の下水（排水）設備位置や、屋内の上水配管や蛇口等の上水（工業用水を含む）設備位置等を考慮することなく、空調管理用組立構造体20を様々な箇所に設置できると共に移設も容易となる。特に、組立・分解・移設が行われる頻度に高い簡易型の空調管理室21を形成する際に至便である。本来、屋外へ排水される（捨てられる）ドレン水Ｗを有効利用できる（上水を使用する場合に比べて節水できる）。
【００２３】
また、上記室外機２は上記組立構造体20の屋根22に設置されているので、組立構造体20と室外機２を、一体状に移設（移動できる）。屋内に、室外機２を設置する専用スペースが不要となり、屋内を広く使用できる。つまり、組立構造体20の設置スペースがあれば良く、組立構造体20の屋根22のスペースを有効利用できる。また、組立構造体20の移設作業を容易かつ迅速にできる。
【符号の説明】
【００２４】
１  室内機
２  室外機
３  気化フィルタ
６  ドレン水供給手段
20  組立構造体
21  空調管理室
22  屋根
Ｗ  ドレン水
【図１】
2019056493.tif 000003
【図２】
2019056493.tif 000004
【図３】
2019056493.tif 000005
【図４】
2019056493.tif 000006
【図５】
2019056493.tif 000007
【図６】
2019056493.tif 000008